(57)【要約】【課題】  ダイヤフラムの状態を目視により外部から確認することが可能なＸ線発生装置を提供する。【解決手段】  絶縁油貯留容器１０は、第１室１１と、第２室１２と、これらの第１室１１と第２室１２とをつなぐ絶縁油の流通部１３とから構成されている。絶縁油貯留容器１０における第１室１１には、Ｘ線管２０が配設され、Ｘ線通過窓１８が形成されている。また、絶縁油貯留容器１０における第２室１２には、凹部１５が形成され、この凹部１５を構成する壁面には絶縁油の通過孔１６が形成されるとともに、ダイヤフラム３１が付設されている。そして、ダイヤフラム３１は、透光性材料または網目状をなす非透光性材料から構成された保護カバー３２により保護されている。【選択図】        図１
0003206990.tif 000002
【実用新案登録請求の範囲】
【請求項１】
Ｘ線管と、
Ｘ線遮蔽部材から構成され、内部に絶縁油を貯留する絶縁油貯留容器と、
前記絶縁油貯留容器に形成された絶縁油の通過孔を介して前記絶縁油貯留容器と連通する空間を形成する伸縮可能なダイヤフラムと、
前記ダイヤフラムを囲う保護カバーと、
を備えたＸ線発生装置において、
前記保護カバーを、前記ダイヤフラムが前記保護カバーを介して外部から視認可能な構成とするとともに、
前記絶縁油貯留容器を、前記Ｘ線管が配設される第１室と、前記ダイヤフラムが配設される第２室とから構成し、前記第１室と前記第２室とを、前記Ｘ線管から前記通過孔に至る経路外に配設された絶縁油の流通部で接続したことを特徴とするＸ線発生装置。
【請求項２】
請求項１に記載のＸ線発生装置において、
前記絶縁油貯留容器における前記第１室内において、前記Ｘ線管の外周部を囲うＸ線遮蔽カバーをさらに備えるＸ線発生装置。
【請求項３】
請求項１または請求項２に記載のＸ線発生装置において、
前記保護カバーは、透光性材料または網目状をなす非透光性材料から構成されるＸ線発生装置。
【考案の詳細な説明】
【技術分野】
【０００１】
この考案は、絶縁油を貯留した絶縁油貯留容器内にＸ線管を配設したＸ線発生装置に関する。
【背景技術】
【０００２】
図５は、このような従来のＸ線発生装置の概要を示す縦断面図である。
【０００３】
このＸ線発生装置は、陰極２１と陽極２２とを備えたＸ線管２０を有する。このＸ線管２０は、筐体に鉛を貼着した構成を有し、内部に絶縁油を貯留した絶縁油貯留容器１０内に配置されている。この絶縁油貯留容器１０の側面には凹部１５が形成されており、この凹部１５を構成する壁面には絶縁油の通過孔１６が形成されている。また、絶縁油貯留容器の底面には、Ｘ線透過部材から構成されたＸ線通過窓１８が形成されている。そして、補強板に鉛を貼着した構成を有し、Ｘ線管２０の外周部を囲うＸ線遮蔽カバー１７が、Ｘ線管２０に近接して配置されている。
【０００４】
Ｘ線管２０においては、陰極２１から照射された熱電子Ａが陽極２２と衝突することによりＸ線Ｂが発生する。このＸ線Ｂは、Ｘ線通過窓１８を介して外部に照射される。なお、Ｘ線ＢはＸ線通過窓１８以外にも照射される。このＸ線Ｂは、Ｘ線遮蔽カバー１７により遮蔽される。しかしながら、陰極２１や陽極２２への電線等があることから、Ｘ線遮蔽カバー１７によりＸ線管２０を完全に覆うことは不可能であり、一部のＸ線Ｂは、Ｘ線遮蔽カバー１７により遮蔽されない。また、一部のＸ線Ｂは、Ｘ線遮蔽カバー１７を透過する。しかしながら、これらのＸ線Ｂは、絶縁油貯留容器１０により遮蔽される。
【０００５】
このＸ線管２０からのＸ線Ｂの照射中には、Ｘ線管２０は高温となる。これにより、絶縁油貯留容器１０内の絶縁油の温度が上昇し、絶縁油は温度上昇により体積が膨張する。このため、絶縁油貯留容器１０における凹部１５に対応する領域には、ダイヤフラム３１が付設されている。このダイヤフラム３１は、ベローズとも呼称されるものであり、ＮＢＲ等の弾性を有し、伸縮可能なゴム系の材質より構成されている。このダイヤフラム３１は、絶縁油貯留容器１０に形成された絶縁油の通過孔１６を介して、凹部１５付近の領域において、絶縁油貯留容器１０と連通する空間を形成する。
【０００６】
このダイヤフラム３１は、ゴム系の材質から構成されているため、外部からの予期せぬ接触により破損する可能性がある。このような接触を防止するため、ダイヤフラム３１は、保護カバー３９により保護されている。このとき、絶縁油の通過孔１６およびダイヤフラム３１を介してＸ線Ｂが外部に漏洩することを防止するため、この保護カバー３９は、Ｘ線遮蔽部材から構成されている。特許文献１においては、ゴムベローズを鉛板で保護したＸ線発生装置が開示されている。
【０００７】
また、特許文献２には、収縮を緩衝するベローズが破断したことを検知するために、Ｘ線管を内包し支持する容器と、該容器内に充填されＸ線管を浸漬して絶縁する第１の絶縁油と、開口部を閉塞するように取り付けられたベローズとを含むＸ線発生装置であって、開口部およびベローズの外部と第１の外部容器、管、第２の外部容器とによって形成された空間を内部に有し、空間に気体及び第２の絶縁油が貯留されている貯留器を備えるとともに、第２の外部容器が、第２の絶縁油の液面を外部から目視できる透明部と、透明部の側部に設けられ、第２の絶縁液面位置を読み取る目盛りとをゆうするＸ線発生装置が開示されている。
【先行技術文献】
【特許文献】
【０００８】
【特許文献１】特開平６−５３８２号公報
【特許文献２】特開２０１０−６７５４５号公報
【考案の概要】
【考案が解決しようとする課題】
【０００９】
絶縁油に温度上昇に起因する体積膨張に対応するために設けられたダイヤフラム３１は、ゴム系の材質から構成され、かつ、Ｘ線管２０からのＸ線Ｂの照射と停止に対応して膨張と収縮を繰り返すことから、長期の使用に伴って疲労し、亀裂が生じて絶縁油がにじみ出ることがある。しかしながら、このような現象が発生したとしても、特許文献１に記載された構成と同様、ダイヤフラム３１はＸ線遮蔽部材からなる保護カバー３９により覆われていることから、ダイヤフラム３１の状態を外部から視認により確認することは不可能である。
【００１０】
また、特許文献２に記載のＸ線発生装置においては、ベローズ（ダイヤフラム）の破断を認識することは可能ではあるが、ベローズの状態を視認により予め確認し、破断の前に交換等の対応を取ることは不可能である。また、特許文献２に記載のＸ線発生装置は、その構成も複雑となるという問題がある。
【００１１】
この考案は上記課題を解決するためになされたものであり、ダイヤフラムの状態を目視により外部から確認することが可能なＸ線発生装置を提供することを目的とする。
【課題を解決するための手段】
【００１２】
請求項１に記載の考案は、Ｘ線管と、Ｘ線遮蔽部材から構成され、内部に絶縁油を貯留する絶縁油貯留容器と、前記絶縁油貯留容器に形成された絶縁油の通過孔を介して前記絶縁油貯留容器と連通する空間を形成する伸縮可能なダイヤフラムと、前記ダイヤフラムを囲う保護カバーと、を備えたＸ線発生装置において、前記保護カバーを、前記ダイヤフラムが前記保護カバーを介して外部から視認可能な構成とするとともに、前記絶縁油貯留容器を、前記Ｘ線管が配設される第１室と、前記ダイヤフラムが配設される第２室とから構成し、前記第１室と前記第２室とを、前記Ｘ線管から前記通過孔に至る経路外に配設された絶縁油の流通部で接続したことを特徴とする。
【００１３】
請求項２に記載の考案は、請求項１に記載の考案において、前記絶縁油貯留容器における前記第１室内において、前記Ｘ線管の外周部を囲うＸ線遮蔽カバーをさらに備える。
【００１４】
請求項３に記載の考案は、請求項１または請求項２に記載の考案において、前記保護カバーは、透光性材料または網目状をなす非透光性材料から構成される。
【考案の効果】
【００１５】
請求項１に記載の考案によれば、ダイヤフラムを前記保護カバーを介して外部から視認することができ、ダイヤフラムの状態を目視により確認することが可能となる。このとき、絶縁油貯留容器を、Ｘ線管が配設される第１室とダイヤフラムが配設される第２室とから構成し、第１室と第２室とをＸ線管から通過孔に至る経路外に配設された絶縁油の流通部で接続したことから、Ｘ線が絶縁油貯留容器の外部に漏洩することを防止することが可能となる。
【００１６】
請求項２に記載の考案によれば、Ｘ線管を囲う比較的小型のＸ線遮蔽カバーによりＸ線を遮蔽した後、Ｘ線カバーから外部に照射されるＸ線を絶縁油貯留容器によりさらに遮蔽することから、装置全体の重量をより小さなものとすることが可能となる。
【００１７】
請求項３に記載の考案によれば、透光性材料または網目状をなす非透光性材料から構成される保護カバーを介してダイヤフラムを外部から視認することが可能となる。
【図面の簡単な説明】
【００１８】
【図１】この考案の第１実施形態に係るＸ線発生装置の概要を示す縦断面図である。
【図２】この考案の第１実施形態に係るＸ線発生装置の概要を示す平面図である。
【図３】この考案の第２実施形態に係るＸ線発生装置の概要を示す縦断面図である。
【図４】この考案の第２実施形態に係るＸ線発生装置の概要を示す平面図である。
【図５】従来のＸ線発生装置の概要を示す縦断面図である。
【考案を実施するための形態】
【００１９】
以下、この考案の実施の形態を図面に基づいて説明する。図１は、この考案の第１実施形態に係るＸ線発生装置の概要を示す縦断面図であり、図２は、その平面図である。なお、図１は、図２において仮想線で示す断面を示している。
【００２０】
このＸ線発生装置は、剛性を有する板状体に鉛を貼着した構成を有し、内部に絶縁油を貯留した絶縁油貯留容器１０を備える。この絶縁油貯留容器１０は、第１室１１と、第２室１２と、これらの第１室１１と第２室１２とをつなぐ絶縁油の流通部１３とから構成されている。
【００２１】
絶縁油貯留容器１０における第１室１１には、陰極２１と陽極２２とを備えたＸ線管２０が配設されている。また、第１室１１の底面には、アルミニウムやベリリウム等のＸ線透過部材から構成されたＸ線通過窓１８が形成されている。そして、補強板に鉛を貼着した構成を有し、Ｘ線管２０の外周部を囲うＸ線遮蔽カバー１７が、Ｘ線管２０に近接して配置されている。
【００２２】
Ｘ線管２０においては、陰極２１から照射された熱電子Ａが陽極２２と衝突することによりＸ線Ｂ（以下、単に「Ｘ線」という）が発生する。このＸ線は、Ｘ線通過窓１８を介して外部に照射される。なお、Ｘ線はＸ線通過窓１８以外にも照射される。このＸ線は、Ｘ線遮蔽カバー１７により遮蔽される。しかしながら、陰極２１や陽極２２への電線等があることから、Ｘ線遮蔽カバー１７によりＸ線管２０を完全に覆うことは不可能であり、一部のＸ線は、Ｘ線遮蔽カバー１７により遮蔽されない。また、一部のＸ線は、Ｘ線遮蔽カバー１７を透過する。しかしながら、これらのＸ線は、絶縁油貯留容器１０を構成する第１室１１の壁面により遮蔽される。
【００２３】
また、絶縁油貯留容器１０における第２室１２には、凹部１５が形成されている。この凹部１５を構成する壁面には絶縁油の通過孔１６が形成されている。Ｘ線管２０からのＸ線の照射中には、Ｘ線管２０は高温となる。これにより、絶縁油貯留容器１０内の絶縁油の温度が上昇し、絶縁油は温度上昇により体積が膨張する。このため、第２室１２における凹部１５に対応する領域には、ダイヤフラム３１が付設されている。このダイヤフラム３１は、ベローズとも呼称されるものであり、ＮＢＲ等の弾性を有し、伸縮可能なゴム系の材質より構成されている。このダイヤフラム３１は、絶縁油貯留容器１０に形成された絶縁油の通過孔１６を介して、凹部１５付近の領域において、絶縁油貯留容器１０と連通する空間を形成する。
【００２４】
このダイヤフラム３１は、ゴム系の材質から構成されているため、外部からの予期せぬ接触により破損する可能性がある。このような接触を防止するため、ダイヤフラム３１は、保護カバー３２により保護されている。
【００２５】
そして、このＸ線発生装置においては、この保護カバー３２は、透光性材料または網目状をなす非透光性材料から構成されており、ダイヤフラム３１は、保護カバー３２を介して外部から視認可能な構成となっている。
【００２６】
このＸ線発生装置においては、このように、保護カバー３２の材質として、透光性材料または網目状をなす非透光性材料のようにダイヤフラム３１を外部から視認可能なものを使用した場合においても、Ｘ線管２０から発生したＸ線が通過孔１６、ダイヤフラム３１および保護カバー３２を介して外部に漏洩することはない。すなわち、このＸ線発生装置における絶縁油貯留容器１０は、第１室１１と第２室１２とに分離しており、かつ、これらの第１室１１と第２室１２とを、Ｘ線管２０から通過孔１６に至る経路外に配設された絶縁油の流通部１３で接続した構成を有する。このため、Ｘ線管２０から発生したＸ線が通過孔１６、ダイヤフラム３１および保護カバー３２を介して外部に漏洩することを防止することが可能となる。
【００２７】
このため、このＸ線発生装置においては、ダイヤフラム３１の状態を目視により確認することが可能となる。このため、例えば、ダイヤフラム３１に亀裂が生じて絶縁油がにじみ出した場合等においては、それを速やかに発見することができる。このため、ダイヤフラム３１を早期に交換すること等が可能となり、ダイヤフラム３１の破断等によりＸ線装置が使用不可能となることを未然に防止することが可能となる。
【００２８】
次に、この考案の他の実施の形態について説明する。図３は、この考案の第２実施形態に係るＸ線発生装置の概要を示す縦断面図であり、図４は、その平面図である。図３は、図４において仮想線で示す断面を示している。なお、上述した実施形態と同様の部材については、同一の符号を付して詳細な説明を省略する。
【００２９】
上述した第１実施形態においては、絶縁油貯留容器１０を構成する第１室１１と第２室１２と、互いに独立したものとし、これらの第１室１１と第２室１２とを絶縁油の流通部１３により接続する構成を採用している。これに対して、この第２実施形態においては、絶縁油貯留容器１０を、板状体に鉛を貼着した構成を有する隔壁１４により、第１室１１と第２室１２とに分離した構成を有する。
【００３０】
この第２実施形態に係るＸ線発生装置においても、絶縁油貯留容器１０における第１室１１には、Ｘ線管２０が配設され、Ｘ線通過窓１８が形成されている。また、絶縁油貯留容器１０における第２室１２には、凹部１５が形成され、この凹部１５を構成する壁面には絶縁油の通過孔１６が形成されるとともに、ダイヤフラム３１が付設されている。そして、ダイヤフラム３１は、透光性材料または網目状をなす非透光性材料から構成された保護カバー３２により保護されている。
【００３１】
この第２実施形態に係るＸ線発生装置においても、絶縁油貯留容器１０は、第１室１１と第２室１２とに分離しており、かつ、これらの第１室１１と第２室１２とを、Ｘ線管２０から通過孔１６に至る経路外に配設された絶縁油の流通部１３で接続した構成を有することから、Ｘ線管２０から発生したＸ線が通過孔１６、ダイヤフラム３１および保護カバー３２を介して外部に漏洩することを防止することが可能となる。
【００３２】
なお、上述した実施形態においては、いずれも、Ｘ線管２０に近接して配置され、Ｘ線管２０の外周部を囲うＸ線遮蔽カバー１７によりＸ線を遮蔽した上で、Ｘ線遮蔽カバー１７により遮蔽されない一部のＸ線やＸ線遮蔽カバー１７を透過するＸ線を、絶縁油貯留容器１０により遮断する構成を採用している。しかしながら、Ｘ線遮蔽カバー１７を省略し、絶縁油貯留容器１０のみによりＸ線を遮蔽する構成を採用してもよい。
【００３３】
但し、このような構成を採用した場合においては、Ｘ線発生装置全体の重量が大きくなるという問題が生ずる。すなわち、絶縁油貯留容器１０の一部を構成する鉛はＸ線を遮蔽する性質を有するが、その厚みを大きくしないと、Ｘ線の一部は鉛を通過してしまう。このため、絶縁油貯留容器１０だけでＸ線を完全に遮蔽しようとすると、絶縁油貯留容器１０に使用される鉛の厚みを大きなものとする必要が生じ、絶縁油貯留容器１０の重量が大きなものとなる。
【００３４】
しかしながら、上述した実施形態のように、Ｘ線管２０に近接して配置され、Ｘ線管２０の外周部を囲うＸ線遮蔽カバー１７によりＸ線を遮蔽した上で、Ｘ線遮蔽カバー１７により遮蔽されない一部のＸ線やＸ線遮蔽カバー１７を透過するＸ線を絶縁油貯留容器１０によりさらに確実に遮断する構成を採用した場合には、Ｘ線発生装置全体の重量をより軽量なものとした上で、Ｘ線の漏洩を確実に防止することが可能となる。
【符号の説明】
【００３５】
１０      絶縁油貯留容器
１１      第１室
１２      第２室
１３      絶縁油の流通部
１４      隔壁
１５      凹部
１６      絶縁油の通過孔
１７      Ｘ線遮蔽カバー
１８      Ｘ線通過窓
２０      Ｘ線管
２１      陰極
２２      陽極
３１      ダイヤフラム
３２      保護カバー
【図１】
0003206990.tif 000003
【図２】
0003206990.tif 000004
【図３】
0003206990.tif 000005
【図４】
0003206990.tif 000006
【図５】
0003206990.tif 000007